(57)【要約】【課題】貯蔵室内の温度を均一化するとともに正確に温度制御できる冷蔵庫を提供する。【解決手段】貯蔵物を収納する貯蔵室６と、冷気を生成する冷却器５７と、貯蔵室６の背面に設けられて冷却器５７で生成した冷気が流通する冷気通路２７と、貯蔵室６の上部に開口して冷気通路２７を流通する冷気を貯蔵室６に吐出する吐出口１５ａ、１５ｂと、吐出口１５ａ、１５ｂの下方に配されて貯蔵室６の背面を覆う熱良導体から成る部材１８と、部材１８の背面に接して温度を検知する温度検知手段３５とを備え、温度検知手段３５の検知結果に基づいて冷気の吐出を制御した。【選択図】図５
2010144985.tif 000002
【特許請求の範囲】
【請求項１】
貯蔵物を収納する貯蔵室と、冷気を生成する冷却器と、前記貯蔵室の背面に設けられて前記冷却器で生成した冷気が流通する冷気通路と、前記貯蔵室の上部に開口して前記冷気通路を流通する冷気を前記貯蔵室に吐出する吐出口と、前記吐出口の下方に配されて前記貯蔵室の背面を覆う熱良導体から成る部材と、前記部材の背面に接して温度を検知する温度検知手段とを備え、前記温度検知手段の検知結果に基づいて冷気の吐出が制御されることを特徴とする冷蔵庫。
【請求項２】
前記貯蔵室の背面を形成して前面に前記部材が取り付けられる樹脂成形品から成るパネルを備え、前記温度検知手段を前記部材の方向に付勢して係止する係止部を前記パネルに設けたことを特徴とする請求項１に記載の冷蔵庫。
【請求項３】
前記パネルに設けた孔部に前記温度検知手段を配置するとともに前記孔部の周囲に前記係止部を一体に設けたことを特徴とする請求項２に記載の冷蔵庫。
【請求項４】
前記冷気通路を形成する断熱材から成るダクトを前記パネルの背面に取り付け、前記温度検知手段が前記ダクトの側方に配置されることを特徴とする請求項２または請求項３に記載の冷蔵庫。
【請求項５】
貯蔵物を載置する載置棚を前記貯蔵室内に設け、前記部材と前記載置棚との間に隙間を設けたことを特徴とする請求項１〜請求項４のいずれかに記載の冷蔵庫。
【発明の詳細な説明】
【技術分野】
【０００１】
本発明は、貯蔵室の温度を検知する温度検知手段を備えた冷蔵庫に関する。
【背景技術】
【０００２】
従来の冷蔵庫は特許文献１に開示されている。この冷蔵庫は圧縮機及び冷却器を有し、圧縮機により運転される冷凍サイクルの低温側に配される冷却器によって冷気が生成される。冷蔵室の背面には冷却器で生成した冷気がダンパを介して流通する冷気通路が設けられる。冷気通路は左右に分岐し、左右の冷気通路にはそれぞれ上下に並ぶ複数の吐出口が開口する。
【０００３】
冷蔵室の下部には冷却器に冷気を戻す戻り口が設けられる。左右の冷気通路の間には左右の循環ファンを有する循環ダクトが配される。また、冷蔵室内には貯蔵物を載置する複数の載置棚が配され、載置棚で分離される一区画には冷気通路の前面に温度検知手段が設けられる。
【０００４】
冷却器で生成された冷気は冷気通路を流通し、吐出口から冷蔵室内に吐出される。冷蔵室内に吐出された冷気は冷蔵室を流通して戻り口から冷却器に戻る。これにより、冷蔵室が冷却される。温度検知手段は冷蔵室内の温度を検知し、検知結果に基づいてダンパの開閉や圧縮機のオンオフが行われて冷気の吐出が制御される。
【０００５】
また、冷気の吐出が停止された際に循環ファンが駆動され、冷蔵室内の冷気が循環ダクトを介して循環する。これにより、冷蔵室内の温度分布の均一化が図られている。
【０００６】
【特許文献１】特開平１０−５４６３８号公報（第４頁−第６頁、第１図）
【発明の開示】
【発明が解決しようとする課題】
【０００７】
しかしながら、上記従来の冷蔵庫によると、吐出口から冷気が吐出される際には循環ファンが停止され、冷蔵室の中央部の温度が高くなるとともに吐出口の近傍の温度が低くなる。このため、冷蔵室の温度分布を十分均一化できない問題があった。また、温度検知手段が吐出口の近傍に配されるため、吐出口から吐出された低温の冷気の温度を検知する場合がある。加えて、温度検知手段が載置棚で分割された一区画内に配されるため、該区画内が他の区画に対して異なる温度になった際にこの温度が検知される場合がある。これらにより、正確な温度制御ができないため、効率よく冷却保存できない問題があった。
【０００８】
本発明は、貯蔵室内の温度を均一化するとともに正確に温度制御して効率のよい冷却保存ができる冷蔵庫を提供することを目的とする。
【課題を解決するための手段】
【０００９】
上記目的を達成するために本発明は、貯蔵物を収納する貯蔵室と、冷気を生成する冷却器と、前記貯蔵室の背面に設けられて前記冷却器で生成した冷気が流通する冷気通路と、前記貯蔵室の上部に開口して前記冷気通路を流通する冷気を前記貯蔵室に吐出する吐出口と、前記吐出口の下方に配されて前記貯蔵室の背面を覆う熱良導体から成る部材と、前記部材の背面に接して温度を検知する温度検知手段とを備え、前記温度検知手段の検知結果に基づいて冷気の吐出が制御されることを特徴としている。
【００１０】
この構成によると、冷却器で生成された冷気は冷気通路を流通し、吐出口から吐出され、貯蔵室内を冷却する。また、冷気通路を流通する冷気の冷熱及び吐出口から吐出された冷気の冷熱が部材に伝えられる。部材は金属等の熱良導体から成るため冷熱が熱伝導して均一な温度に維持され、貯蔵室の背面の広い範囲から冷熱が貯蔵室内に放出される。これにより、貯蔵室内の温度分布が均一化される。温度検知手段は温度が均一な部材に接し、部材の温度を検知する。温度検知手段の検知結果に基づいて冷気の吐出及び停止が制御され、貯蔵室内が所定温度に維持される。
【００１１】
また本発明は、上記構成の冷蔵庫において、前記貯蔵室の背面を形成して前面に前記部材が取り付けられる樹脂成形品から成るパネルを備え、前記温度検知手段を前記部材の方向に付勢して係止する係止部を前記パネルに設けたことを特徴としている。この構成によると、樹脂成形品のパネルの前面に部材が取り付けられる。パネルには温度検知手段が取り付けられ、パネルに設けた係止部は温度検知手段を部材の方向に付勢し、温度検知手段が確実に部材に密着する。
【００１２】
また本発明は、上記構成の冷蔵庫において、前記パネルに設けた孔部に前記温度検知手段を配置するとともに前記孔部の周囲に前記係止部を一体に設けたことを特徴としている。この構成によると、パネルには孔部が設けられ、温度検知手段が部材に接して孔部に配置される。係止部は孔部の周囲に一体に形成され、温度検知手段を部材の方向に付勢する。
【００１３】
また本発明は、上記構成の冷蔵庫において、前記冷気通路を形成する断熱材から成るダクトを前記パネルの背面に取り付け、前記温度検知手段が前記ダクトの側方に配置されることを特徴としている。この構成によると、発泡樹脂等の断熱材から成るダクトによってパネルの背面に形成される冷気通路を冷気が流通し、吐出口から吐出される。パネルの前面の部材はダクトよりも横方向に広く形成され、温度検知手段は冷気通路の外側に配されて部材に接する。
【００１４】
また本発明は、上記構成の冷蔵庫において、貯蔵物を載置する載置棚を前記貯蔵室内に設け、前記部材と前記載置棚との間に隙間を設けたことを特徴としている。この構成によると、吐出口から吐出された冷気や新たに貯蔵された貯蔵物からの暖気が部材と載置棚との隙間を流通し、冷熱または熱が部材に伝えられる。
【発明の効果】
【００１５】
本発明によると、貯蔵室の背面を覆う熱良導体から成る部材を設け、温度検知手段を部材に接して設けたので、均一な温度に維持される部材から放出される冷熱によって貯蔵室内の温度を均一にすることができる。また、温度検知手段は部材に接して貯蔵室の平均的な温度を検知することができるため、貯蔵室を正確に温度制御して効率のよい冷却保存ができる。
【発明を実施するための最良の形態】
【００１６】
以下に本発明の実施形態を図面を参照して説明する。図１、図２は一実施形態の冷蔵庫を示す外観斜視図及び扉を開いた状態の正面から見た斜視図である。冷蔵庫１は冷蔵室６が上部に配され、断熱壁１０を介して下方に冷凍室８、９が配置されている。左右に配される冷凍室８、９の間は縦断熱壁１１により仕切られる。冷蔵室６は右扉２及び左扉３によって開閉され、冷凍室８、９はそれぞれ右扉４、左扉５により開閉される。
【００１７】
冷蔵室６の右扉２及び左扉３の内面には貯蔵物を収納するドアポケット２ａ、３ａがそれぞれ設けられる。冷蔵室６内には貯蔵物を載置する複数の載置棚１２が配される。冷蔵室６に下部には仕切板１３で仕切られた隔離室７が設けられる。隔離室７内には貯蔵物を収納する引き出し式の収納ケース７ａが複数設けられている。
【００１８】
右側の冷凍室８の上部には製氷装置８ａが設けられる。製氷装置８ａの下方には氷を貯める貯氷箱８ｂが配されている。製氷装置８ａ及び貯氷箱８ｂの側方と下方には貯蔵物を収納する収納ケース８ｃが複数設けられる。左側の冷凍室９内にも同様に収納ケース９ｃが複数設けられる。
【００１９】
図３は冷蔵庫１の下部の冷凍室８を通る断面を示す側面断面図である。冷蔵庫１の本体部を形成する断熱箱体１ａと冷凍室８内との間には背面板５５で覆われた背面ダクト５６が形成される。背面ダクト５６内は仕切板５６ａにより前後に分割され、前面に複数の背面吐出口６３が開口して後側に冷却器５７が配される。冷却器５７の上方には送風機５８が配される。冷却器５７は冷凍室８、９の下部後方に配された圧縮機５９に接続される。圧縮機５９の駆動により冷媒が流通して冷凍サイクルが運転され、冷却器５７は冷凍サイクルの低温側となる。
【００２０】
縦断熱壁１１は背面板５５に接して配置され、背面ダクト５６に連通する第１、第２冷気ダクト７１、７３が設けられる。冷凍室８、９の底部には第１冷気ダクト７１に連通する底面ダクト７５が設けられる。底面ダクト７５には前面、背面及び縦断熱壁１１から離れた側の側面に冷気戻り口７２が設けられている。
【００２１】
第２冷気ダクト７３の前部には左右の冷凍室８、９に向けてそれぞれ開口する側面吐出口７４が設けられる。尚、断熱壁１０に設けたダンパ６５を開いて冷蔵室６の背面に設けられる冷気通路２７（図５参照）に冷気が送出される。
【００２２】
図４は冷蔵室６の背面を形成するパネル組品１４を正面から見た斜視図を示している。また、図５、図６はパネル組品１４の背面図及び側面断面図を示している。また、図７は図６の要部詳細図である。パネル組品１４は隔離室７の上方に配され、背面側に冷気が流通する冷気通路２７を形成する。
【００２３】
パネル組品１４は樹脂成形品から成るパネル１５を有し、パネル１５の前面側には金属（アルミニウムやステンレス）等の熱良導体から成る部材１８が配される。部材１８の両側方には半透明の樹脂から成るランプカバー１６、１７が設けられる。尚、部材１８と載置棚１２との間には隙間１２ａが形成されている。
【００２４】
パネル１５の上部の左右方向の中央部には照明室２０ａがパネル１５と一体に形成される。照明室２０ａの左右には冷気を吐出する吐出口１５ａ、１５ｂが開口する。照明室２０ａ内には照明装置２０が背面からネジ止めされる。照明室２０ａの上方にはカバー１９が設けられる。尚、ランプカバー１６、１７の後方にもＬＥＤを有した同様の照明装置が配される。
【００２５】
パネル１５の背面には発泡断熱材により形成されるダクト２８が配される。パネル１５は部材１８の取り付け部分が開口し、ダクト２８が部材１８に接して設けられる。ダクト２８の周囲には断熱箱体１ａ（図３参照）に当接する枠材２８ｇが設けられ、枠材２８ｇにより冷気通路２７の外形が形成される。冷気通路２７はダンパ６５（図３参照）に連通する。ダンパ６５の開成により冷却器５７で生成された冷気が冷気通路２７を下方から上方に向かって流通し、吐出口１５ａ、１５ｂから冷蔵室６内に吐出される。
【００２６】
冷気通路２７はダクト２８の背面に突設されるリブ３２によって左右方向に３分割され、右から順（図５の背面図では左から順）に右通路２９、中通路３０、左通路３１が設けられる。右通路２９、中通路３０、左通路３１は上部で合流するようになっている。
【００２７】
冷気通路２７の終端は枠材２８ｇの上端部から成るダクト２８の上壁２８ｃにより形成される。ダクト２８の上壁２８ｃは右部２８ｄ及び左部２８ｅに対して中央部２８ｆが下方に配される。中央部２８ｆの上方に照明室２０ａが形成され、右部２８ｄ及び左部２８ｅに沿って吐出口１５ａ、１５ｂが形成される。
【００２８】
これにより、中通路３０を上昇する冷気は上壁２８ｃの中央部２８ｆに衝突して左右に分岐し、吐出口１５ａ、１５ｂに導かれる。従って、中央部２８ｆは冷気通路２７の気流の一部を遮って左右に分岐させる遮蔽部を構成する。
【００２９】
また、中央部２８ｆの近傍にはイオン発生装置８６が配されるイオン発生室２８ａがダクト２８と一体に形成される。イオン発生室２８ａの背面は冷気通路２７の左右にわたって上部が前方に傾斜した傾斜面２８ｋから成っている。また、吐出口１５ａ、１５ｂは傾斜面２８ｋよりも前方に配置される。これにより、冷気通路２７を流通する冷気は傾斜面２８ｋに沿って吐出口１５ａ、１５ｂに円滑に導かれる。
【００３０】
また、イオン発生室２８ａに対向する断熱箱体１ａにはイオン発生室２８ａの上流側にイオン発生室２８ａの方向に冷気を導く傾斜面から成る案内部２７ａが形成されている。案内部２７ａによってイオン発生室２８ａに導かれる冷気の流路が絞られ、イオン発生室２８ａ近傍の冷気の流速が増速される。これにより、イオン発生室２８ａ近傍に冷気を流通させてイオンを含ませることができる。また、単位流量当たりに含むことのできるイオンの量には限度がある。このため、冷気の増速によってイオン発生装置８６で発生したイオンを飽和させずに冷気に十分含ませて吐出口１５ａ、１５ｂに拡散して導くことができる。
【００３１】
部材１８はダクト２８よりも横幅が広く形成され、ダクト２８の側方の部材１８には背面側に温度センサ３５（温度検知手段）が接して配されている。図８は図５のＡ−Ａ断面図を示している。パネル１５には孔部３５ａが開口して形成され、孔部３５ａの周囲には後方に突出した曲面形状を有する係止部３５ｂが一体成形されている。
【００３２】
柱状の温度センサ３５は背面側から係止部３５ｂを弾性により広げて孔部３５ａに押入され、部材１８に接する。この時、係止部３５ｂは弾性によって温度検知手段３５を前方の部材１８の方向に付勢する。これにより、温度センサ３５を確実に部材１８に密着させることができる。
【００３３】
温度センサ３５は部材１８の温度を検知し、温度センサ３５の検知結果に基づいてダンパ６５（図３参照）の開閉や圧縮機５９（図３参照）のオンオフが行われる。これにより、冷蔵室６の冷気の吐出が制御される。
【００３４】
図９、図１０は照明装置２０の分解斜視図及び平面図を示している。照明装置２０はベース２１、導光板２２、基板２３、反射シート２４を有している。ベース２１は樹脂成形品から成り、基板２３を収納する収納部２１ａが一端に形成される。導光板２２は透明樹脂から成り、前面に出射面２２ｃを有して背面側に傾斜面２２ｂが形成される。
【００３５】
基板２３に実装されるＬＥＤ２３ａの出射光は導光板２２を導光し、傾斜面２２ｂで反射して出射面２２ｃに導かれる。出射面２２ｃの出射光によって冷蔵室６内が照明される。導光板２２にはＬＥＤ２３ａとの対向面積を広く得るために、ＬＥＤ２３ａの先端が挿入される凹部２２ａが形成される。反射シート２４は透明粘着材により導光板２２に接着されるアルミ箔から成り、上方に漏れる光を反射して出射面２２ｃに導く。
【００３６】
図１１、図１２、図１３は基板２３の上面図、側面図及び正面図を示している。ＬＥＤ２３ａは基板２３の一面に実装され、同じ面にコネクタ２３ｃが実装される。コネクタ２３ｃにはコネクタ２５ａ（図９参照）を介してリード線２５（図９参照）が接続され、ＬＥＤ２３ａに電力が供給される。
【００３７】
図１４は照明装置２０の正面断面図を示している。また、図１５は図１４の要部拡大図である。基板２３は収納部２１ａの上面開口部から挿入され、収納部２１ａ内に設けられたリブ２１ｂ、２１ｃによって挟まれて固定されている。この時、基板２３から突出するコネクター２３ｃはベース２１の下面から側方に突出する突出部２１ｄとこれに対向する収納部２１ａの内壁との間を通過する。そして、基板２３がリブ２１ｂの上面に形成される傾斜面によって図中、左方に案内され、リブ２１ｂ、２１ｃ間に基板２３が固定される。
【００３８】
これにより、基板２３が導光板２２の方向に移動し、導光板２２の凹部２２ａ（図１０参照）にＬＥＤ２３ａの先端が入り込む。このため、ＬＥＤ２３ａが凹部２２ａに接近しての光を漏れなく導光板２２に伝えることができる。また、収納部２１ａの下部の導光板２２側は開口してコネクター２３ｃの先端が配される。これにより、コネクター２３ｃ、２５ａを容易に接続できるとともに、リード線２５（図４参照）に無理な応力がかからないようにできる。尚、コネクター２３ｃ、２５ａを接続した後に基板２３を収納部２１ａに組み込んでもよい。
【００３９】
また、基板２３と収納部２１ａの内面との間に絶縁性を有するスポンジ状のスペーサーを押入してもよい。これにより、基板２３のガタツキを防止し、ＬＥＤ２３ａと導光板２２との間隔を安定して所定の間隔に維持することができる。
【００４０】
図１６、図１７はイオン発生装置８６の正面図及び側面断面図を示している。イオン発生装置８６は絶縁体から成るハウジング８６ａにより覆われ、針状の放電電極８６ｐ、８６ｑが離れて配される。放電電極８６ｐ、８６ｑの周囲には環状の誘導電極８６ｅが配される。イオン発生室２８ａ（図５参照）内で放電電極８６ｐ、８６ｑは上下方向に並設され、放電電極８６ｐが上方に配されて放電電極８６ｑが下方に配される。即ち、放電電極８６ｑを有するイオン発生部８６ｊ（図１６参照）は放電電極８６ｑを有するイオン発生部８６ｋ（図１６参照）よりも遮蔽部と成る中央部２８ｆから離れて配置される。
【００４１】
ハウジング８６ａには放電電極８６ｐ、８６ｑに対向する貫通孔８６ｂが設けられる。これにより、イオン発生面８６ｄに放電電極８６ｐ、８６ｑが露出する。貫通孔８６ｂはイオン発生室２８ａの冷気通路２７に面して開口する開口部２８ｂ（図５参照）に対向する。これにより、放電電極８６ｐ、８６ｑは冷気通路２７に面して配されている。
【００４２】
放電電極８６ｐ、８６ｑと誘導電極８６ｅとの間のイオン発生部８６ｊ、８６ｋで発生したイオンはイオン発生室２８ａ内に流入した冷気と混合され、開口部２８ｂから冷気通路２７に流出する。
【００４３】
また、イオン発生面８６ｄにはフィルタ８６ｈを配した通気孔８６ｇが両貫通孔８６ｂの間に形成される。通気孔８６ｇはハウジング８６ａ内部でイオン発生部８６ｄと連通する。イオン発生面８６ｄをイオン発生室２８ａの背面から離れて配置した際に、通気孔８６ｇからハウジング８６ａ内に流入した冷気はイオン発生部８６ｄから流出する。このため、イオン発生部８６ｊ、８６ｋで発生したイオンを停滞させずに冷気に含ませることができる。
【００４４】
尚、フィルタ８６ｈにより左右のイオン発生部８６ｊ、８６ｋの間が隔離され、プラスイオンとマイナスイオンの衝突による消滅を少なくしてイオン供給効率を向上させることができる。左右のイオン発生部８６ｊ、８６ｋ間に両者を隔離するリブを設けてもよい。
【００４５】
放電電極８６ｐ、８６ｑには誘導電極８６ｅに対して正極性または負極性の高電圧がそれぞれ印加される。これにより、上方に配される放電電極８６ｐと誘導電極８６ｅとの間に形成されるイオン発生部８６ｊに例えばコロナ放電によりプラスイオンが発生する。また、下方に配される放電電極８６ｑと誘導電極８６ｅとの間に形成されるイオン発生部８６ｋに例えばコロナ放電によりマイナスイオンが発生する。
【００４６】
一方の放電電極８６ｐには正電圧が印加され、電離により発生するイオンが空気中の水分と結合して主としてＨ+（Ｈ2Ｏ）ｍから成る電荷が正のクラスタイオンを発生する。他方の放電電極８６ｑには負電圧が印加され、電離により発生するイオンが空気中の水分と結合して主としてＯ2-（Ｈ2Ｏ）ｎから成る電荷が負のクラスタイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分及び貯蔵物の付着菌の表面で凝集してこれらを取り囲む。
【００４７】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分等を破壊する。ここで、ｍ’、ｎ’は任意の自然数である。従って、プラスイオン及びマイナスイオンを発生して吐出口１５ａ、１５ｂから吐出することにより室内の殺菌及び臭い除去を行うことができる。
【００４８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４９】
尚、イオン発生装置８６は針状の放電電極８６ｐ、８６ｑ及び誘導電極８６ｅを有しているが、他の構成であってもよい。例えば、図１８に示すように、イオン発生面８６ｄに平面状の放電電極８６ｐ、８６ｑ（８６ｑは不図示）が配されたイオン発生装置であってもよい。また、図１９に示すように、電源部８６ｊにリード線８６ｋにより接続された針状の放電電極８６ｐ、８６ｑ（８６ｑは不図示）を有するイオン発生装置であってもよい。
【００５０】
上記構成の冷蔵庫１において、冷却器５７で熱交換して生成された冷気は送風機５８の駆動により背面ダクト５６の前側に導かれ、背面板５５に設けた複数の背面吐出口６３から上下に分散して冷凍室８、９内に吐出される。背面吐出口６３から吐出された冷気は前方へ導かれて収納ケース８ｃ、９ｃの周囲を流通する。
【００５１】
また、背面ダクト５６の前側から第２冷気ダクト２３を流通する冷気は複数の側面吐出口７４から上下に分散して冷凍室８、９内に吐出される。側面吐出口７４から吐出された冷気は縦断熱壁１１から離れる方向に導かれて収納ケース８ｃ、９ｃの周囲を流通する。そして、冷凍室８、９内を流通した冷気は冷気戻り口７２を介して底面ダクト７５に流入し、第１冷気ダクト７１を介して冷却器５７に戻る。これにより、冷凍室８、９内が冷却される。
【００５２】
断熱壁１０に設けたダンパ６５が開かれると冷蔵室６の背面に設けられる冷気通路２７に冷気が送出される。冷気通路２７は冷蔵室６の左右にわたって形成され、ダンパ６５から左右に通路が拡幅される。これにより、冷気通路２７の流路面積が広くなるため冷気の流速が減速される。
【００５３】
冷気通路２７に流入した冷気は右通路２９、中通路３０、左通路３１に分散して上昇する。イオン発生装置８６で発生したイオンは開口部２８ｂを介してイオン発生室２８ａから流出し、主として中通路３０を通過した冷気に含まれる。中通路３０を上昇する冷気はダクト２８の上壁２８ｃの中央部２８ｆに衝突して遮られ、渦流が生じて攪拌される。
【００５４】
これにより、イオンが渦流によって攪拌され、冷気中に均一に含まれる。この時、２つの開口部８６ｂの上流側からマイナスイオンを放出して下流側からプラスイオンが放出される。このため、開口部８６ｂの一方からプラスイオンを継続して放出されるとともに他方からマイナスイオンが継続的に放出される。これにより、一の放電電極で交互に正負のイオンを発生するよりもイオンの発生量が増加して衝突による減少の影響を小さくできる。
【００５５】
また、中通路３０のイオン発生装置８６の近傍は傾斜面から成る案内部２７ａによって冷気がイオン発生室２８ａに向かうように案内される。これにより、冷気がイオン発生室２８ａ内に流入してイオンを含んで流出するため、イオン発生装置８６で発生したイオンが冷気通路２７内に流出し易くなる。
【００５６】
そして、イオンを含む冷気は上壁２８ｃの中央部２８ｆによって左右に分岐して吐出口１５ａ、１５ｂに導かれ、右通路２９及び左通路３１を通過した冷気と合流して冷蔵室６内に吐出される。冷蔵室６の上部に配される吐出口１５ａ、１５ｂから吐出された冷気は冷蔵室６内を流下して貯蔵物を冷却し、冷気に含まれるイオンによって冷蔵室６内が除菌される。これにより、貯蔵物や冷蔵室６内を清潔に保つことができ、冷却保存に適した冷蔵庫１を実現できる。
【００５７】
冷気通路２７を流通する冷気の冷熱はダクト２８を介して部材１８に伝えられる。また、吐出口１５ａ、１５ｂから流下する冷気の冷熱が部材１８に伝えられる。加えて、載置棚１２に新たに貯蔵物が載置された際に貯蔵物の熱が部材１８に伝えられる。この時、載置棚１２と部材１８との間に隙間１２ａが形成されるため、部材１８に沿って冷気が流下するとともに暖気が上昇する。これにより、冷気の冷熱や貯蔵物の熱を確実に部材１８に伝えることができる。
【００５８】
冷蔵室６の背面を覆う部材１８は熱良導体から成るため、冷気の冷熱や貯蔵物の熱が与えられると急速に温度が均一化される。そして、部材１８の全体から冷熱または熱が放出され、部材１８は冷蔵室６の平均的な温度に維持される。これにより、冷蔵室６内の温度分布を均一にすることができる。このため、冷却効率が向上し、省エネルギー性を向上することができる。温度センサ３５は冷蔵室６の平均的な温度となる部材１８の温度を検知し、検知結果に基づいて冷蔵室６の冷気の吐出が制御される。
【００５９】
尚、パネル組品１４の強度を上げるため、部材１８とダクト２８の間にパネル１５の壁面を設けてもよい。また、ダクト２８やパネル１５の厚みを調節して冷熱の放出量を調節してもよく、場合によっては、開口して直接部材１８に冷気が接するようにしてもよい。
【００６０】
また、冷蔵室６の右扉２や左扉３を開いた際に冷蔵室６内に外気が流入し、外気に含まれる水分が部材１８と接触して結露する。部材１８の結露は右扉２や左扉３を閉じた後に蒸発して冷蔵室６内が保湿される。このため、貯蔵物の乾燥を低減できるとともに、水分子と結合したクラスタイオンを大きくすることができる。これにより、イオンが消滅しにくくなるため冷蔵室６の隅々までイオンを搬送することができる。
【００６１】
尚、部材１８の前面に折曲による凹凸を設けると、部材１８上を流下する結露水を凹凸の上方に面した面に溜めて保湿効果をより向上することができる。凹凸はプレス加工や絞り加工等により折曲して容易に形成することができる。
【００６２】
本実施形態によると、冷蔵室６の背面を覆う熱良導体から成る部材１８を設け、温度センサ（温度検知手段）を部材１８に接して設けたので、均一な温度に維持される部材１８から放出される冷熱によって冷蔵室６内の温度を均一にすることができる。また、温度センサ３５は部材１８に接して冷蔵室６の平均的な温度を検知することができるため、冷蔵室６を正確に温度制御して効率のよい冷却保存ができる。従って、適切な温度で貯蔵物を保存できるとともに、省エネルギー性を向上することができる。
【００６３】
また、外気流入時に部材１８で結露して保湿されるため、水分子と結合したクラスタイオンを大きくして冷蔵室６の隅々までイオンを搬送することができる。
【００６４】
また、冷蔵室６の背面を形成して前面に部材１８が取り付けられる樹脂成形品から成るパネル１５に温度センサ３５を部材１８の方向に付勢して係止する係止部３５ｂを設けたので、温度センサ３５を確実に部材１８に密着させて正確に温度を検知して効率のよい冷却保存ができる。従って、適切な温度で貯蔵物を保存できるとともに、省エネルギー性を向上することができる。
【００６５】
また、パネル１５に設けた孔部３５ａに温度センサ３５を配置して孔部３５ａの周囲に係止部３５ｂを一体に設けたので、温度センサ３５を付勢する係止部３５ｂを容易に実現することができる。
【００６６】
また、冷気通路２７を形成する断熱材から成るダクト２８をパネル１５の背面に取り付け、温度センサ３５がダクト２８の側方に配置されるので、冷気通路２７を流通する低温の冷気の影響を回避して正確に温度検知し、効率のよい冷却保存ができる。従って、適切な温度で貯蔵物を保存できるとともに、省エネルギー性を向上することができる。
【００６７】
また、部材１８と載置棚１２との間に隙間１２ａを設けたので、吐出口１５ａ、１５ｂから吐出された冷気や新たに貯蔵された貯蔵物からの暖気が部材１８と載置棚１２との隙間１２ａを流通し、冷気の冷熱や貯蔵物の熱を部材１８に確実に伝えることができる。
【産業上の利用可能性】
【００６８】
本発明は、貯蔵室の温度を検知する温度検知手段を備えた冷蔵庫に利用することができる。
【図面の簡単な説明】
【００６９】
【図１】本発明の実施形態の冷蔵庫を示す外観斜視図
【図２】本発明の実施形態の冷蔵庫の扉を開いた状態を示す斜視図
【図３】本発明の実施形態の冷蔵庫の下部を示す側面断面図
【図４】本発明の実施形態の冷蔵庫のパネル組品を示す斜視図
【図５】本発明の実施形態の冷蔵庫のパネル組品を示す背面図
【図６】本発明の実施形態の冷蔵庫のパネル組品を示す側面断面図
【図７】図６の要部詳細図
【図８】図５のＡ−Ａ断面図
【図９】本発明の実施形態の冷蔵庫の照明装置を示す分解斜視図
【図１０】本発明の実施形態の冷蔵庫の照明装置を示す平面図
【図１１】本発明の実施形態の冷蔵庫の照明装置の基板を示す上面図
【図１２】本発明の実施形態の冷蔵庫の照明装置の基板を示す側面図
【図１３】本発明の実施形態の冷蔵庫の照明装置の基板を示す正面図
【図１４】本発明の実施形態の冷蔵庫の照明装置を示す正面断面図
【図１５】図１４の要部詳細図
【図１６】本発明の実施形態の冷蔵庫のイオン発生装置を示す正面図
【図１７】本発明の実施形態の冷蔵庫のイオン発生装置を示す側面断面図
【図１８】本発明の実施形態の冷蔵庫の他のイオン発生装置を示す斜視図
【図１９】本発明の実施形態の冷蔵庫の他のイオン発生装置を示す斜視図
【符号の説明】
【００７０】
１    冷蔵庫
１ａ  断熱箱体
６    冷蔵室
７    隔離室
８、９  冷凍室
１０    断熱壁
１１    縦断熱壁
１４    パネル組品
１５    パネル
１５ａ、１５ｂ  吐出口
１８    部材
２０    照明装置
２０ａ  照明室
２１    ベース
２１ａ  収納部
２２    導光板
２３    基板
２３ａ  ＬＥＤ
２７    冷気通路
２７ａ  案内部
２８    ダクト
２８ａ  イオン発生室
２８ｂ  開口部
２８ｃ  上壁
２８ｆ  中央部
２９    右通路
３０    中通路
３１    左通路
３５    温度センサ
３５ａ  孔部
３５ｂ  係止部
５５    背面板
５６    背面ダクト
５７    冷却器
５８    送風機
５９    圧縮機
６３    背面吐出口
６５    ダンパ
７１    第１冷気ダクト
７２    冷気戻り口
７３    第２冷気ダクト
７４    側面吐出口
７５    底面ダクト
８６    イオン発生装置
８６ａ  ハウジング
８６ｂ  貫通孔
８６ｄ  イオン発生面
８６ｅ  誘電電極
８６ｇ  通気孔
８６ｈ  フィルタ
８６ｊ、８６ｋ  イオン発生部
８６ｐ、８６ｑ  放電電極
【図１】
2010144985.tif 000003
【図２】
2010144985.tif 000004
【図３】
2010144985.tif 000005
【図４】
2010144985.tif 000006
【図５】
2010144985.tif 000007
【図６】
2010144985.tif 000008
【図７】
2010144985.tif 000009
【図８】
2010144985.tif 000010
【図９】
2010144985.tif 000011
【図１０】
2010144985.tif 000012
【図１１】
2010144985.tif 000013
【図１２】
2010144985.tif 000014
【図１３】
2010144985.tif 000015
【図１４】
2010144985.tif 000016
【図１５】
2010144985.tif 000017
【図１６】
2010144985.tif 000018
【図１７】
2010144985.tif 000019
【図１８】
2010144985.tif 000020
【図１９】
2010144985.tif 000021